(57)【要約】【課題】貯湯タンクの断熱材として真空断熱材を使用し、貯湯タンクに前記真空断熱材を貼り付ける際、一部密着させずに貼り付けているので、真空断熱材の外袋からの熱伝導を最低限にでき、かつ真空断熱材の性能を最大限にできる貼り付け方としているため、所望の断熱性能が得られ小型化ができ、湯切れを防止できる。【解決手段】圧縮機３１、給湯用熱交換器３２、膨張弁３３、及び蒸発器３４を配管で接続したヒートポンプサイクル３０とヒートポンプサイクル３０を用いて加熱された液体を蓄える貯湯タンク４１とを備え、貯湯タンク４１の断熱材として真空断熱材Ａ４２を使用し、貯湯タンク４１に真空断熱材Ａ４２を貼り付ける際、一部密着させずに貼り付けいるので、真空断熱材の外袋からの熱伝導を最低限にでき、かつ真空断熱材の性能を最大限にできる貼り付け方としているため、所望の断熱性能が得られ小型化ができ、湯切れを防止できる。【選択図】図１
2007107738.tif 000002
【特許請求の範囲】
【請求項１】
圧縮機、給湯用熱交換器、膨張弁、及び蒸発器を配管で接続したヒートポンプサイクルと前記ヒートポンプサイクルを用いて加熱された液体を蓄える貯湯タンクとを備え、前記貯湯タンクの断熱材として真空断熱材を使用し、前記貯湯タンクに前記真空断熱材を貼り付ける際、一部密着させずに貼り付けることを特徴とするヒートポンプ給湯装置。
【請求項２】
前記真空断熱材において、前記貯湯タンクに貼り付ける側に凹部を設けることを特徴とする請求項１に記載のヒートポンプ給湯装置。
【請求項３】
前記真空断熱材を前記貯湯タンクに貼り付ける場合、前記真空断熱材と前記貯湯タンクの間を両面テープで貼り付けることを特徴とする請求項１または２記載のヒートポンプ給湯装置。
【請求項４】
前記真空断熱材は、少なくとも一部可動な前記真空断熱材を備えていることを特徴とする請求項１〜３のいずれか１項に記載のヒートポンプ給湯装置。
【請求項５】
前記真空断熱材と前記貯湯タンクの間の空気の流れを遮断するように前記真空断熱材を前記貯湯タンクに貼り付けることを特徴とする請求項１〜４のいずれか１項に記載のヒートポンプ給湯装置。
【請求項６】
前記ヒートポンプサイクルを複数備えた請求項１〜５のいずれか１項に記載のヒートポンプ給湯装置。
【請求項７】
前記ヒートポンプサイクルに用いる冷媒を二酸化炭素とし、高圧側では臨界圧を越える状態で運転する請求項１〜６のいずれか１項に記載のヒートポンプ給湯装置。
【発明の詳細な説明】
【技術分野】
【０００１】
本発明は、貯湯タンクを備え、貯湯タンクの断熱材として真空断熱材を使用したヒートポンプ給湯装置に関するものである。
【背景技術】
【０００２】
従来から、種々のヒートポンプサイクルを利用した給湯装置が提案されている。この装置において、貯湯タンクの断熱材としてはグラスウールを使用することが一般的であり、特に明記された文献はない。また、ガスを利用した給湯装置において貯湯タンクの断熱材として真空断熱材を使用し、放熱によりエネルギーロスを低減する方法が提案されている（例えば特許文献１参照）。
【０００３】
図５は前記公報に記載された従来のガスを利用した即時出湯機能付き給湯装置のシステム構成図である。図５において、即時出湯機能付き給湯装置は、給湯器１と、カラン、シャワー等給湯端末２とを接続する給湯配管３とを備え、給湯配管３の給湯端末２近傍に貯湯タンク４を備えている。給湯器１は、水管５から供給される水とガスバーナ６により加熱される熱交換器７に通水して湯とし、得られた湯を給湯配管３を介して給湯端末２に供給する。給湯器１は、電源スイッチ８、図示しない設定手段等を備える給湯リモコン９により遠隔操作される。
【０００４】
給湯配管３は、貯湯タンク４の上流で分岐し貯湯タンク４を迂回するバイパス管１０を備え、バイパス管１０は貯湯タンク４と給湯端末２との間に設けられたミキシングバルブ１１を介して給湯配管３に再合流している。また、給湯配管３は、バイパス管１０の上流側に水量センサ１２、ミキシングバルブ１１の下流側に出湯サーミスタ１３を備えている。
【０００５】
貯湯タンク４は、電源装置１４に接続されたヒータ１５を備えると共に、入口側に入水サーミスタ１６、内部に貯湯サーミスタ１７を備えている。また、貯湯タンク４は、放熱によりエネルギーロスを低減するために、図示しない真空断熱材により被覆されている。
【０００６】
さらに、マイクロコンピュータを含む電子回路ユニット（図示せず）により構成された即時出湯制御装置１８を備えている。即時出湯制御装置１８は通信ケーブル１９により給湯リモコン９に接続されており、給湯リモコン９から得られる情報と、水量センサ１２、出湯サーミスタ１３、入水サーミスタ１６、貯湯サーミスタ１７の検出情報とにより、電源装置１４を介してヒータ１５による貯湯タンク４内の湯の加熱を制御すると共に、ミキシングバルブ１１による貯湯タンク４内で加熱された湯とバイパス管１０から供給される冷水との混合を制御する。
【０００７】
また、即時出湯制御装置１８は、即時出湯制御機能の選択スイッチ２０、待ち時間設定装置２１、ブザー等の報知装置２２を備えている。
【特許文献１】特開２００２−２７７０５５号公報
【発明の開示】
【発明が解決しようとする課題】
【０００８】
しかしながら、前記従来の構成では、貯湯タンクは、放熱によりエネルギーロスを低減するために、真空断熱材により被覆されているという記載のみで貼り付け方の記載はない。真空断熱材は、芯材を外袋に挿入し、内部を減圧にして密封し作製する。この外袋は、金属を使用している場合、貯湯タンクに真空断熱材を貼り付け方によっては外袋を介して
熱伝導により放熱され、所望の断熱性能が得られないという課題を有していた。
【０００９】
本発明は、上記従来の課題を解決するもので、ヒートポンプサイクルと前記ヒートポンプサイクルを用いて加熱された液体を蓄える貯湯タンクとを備え、前記貯湯タンクの断熱材として真空断熱材を使用し、前記貯湯タンクに前記真空断熱材を貼り付ける際、一部密着させずに貼り付けることを特徴とするヒートポンプ給湯装置であって、真空断熱材の外袋からの熱伝導を最低限にでき、かつ真空断熱材の性能を最大限にできる貼り付け方としているため、所望の断熱性能が得られ小型化ができ、湯切れを防止するヒートポンプ給湯装置を提供することを目的とする。
【課題を解決するための手段】
【００１０】
前記従来の課題を解決するために、本発明のヒートポンプ給湯装置は、貯湯タンクの断熱材として真空断熱材を使用し、前記貯湯タンクに前記真空断熱材を貼り付ける際、一部密着させずに貼り付けている。
【００１１】
これによって、真空断熱材の外袋からの熱伝導を最低限にでき、かつ真空断熱材の性能を最大限にできる貼り付け方としているため、所望の断熱性能が得られ小型化ができ、湯切れを防止できる。
【発明の効果】
【００１２】
本発明のヒートポンプ給湯装置は、貯湯タンクの断熱材として真空断熱材を使用し、前記貯湯タンクに前記真空断熱材を貼り付ける際、一部密着させずに貼り付けているので、真空断熱材の外袋からの熱伝導を最低限にでき、かつ真空断熱材の性能を最大限にできる貼り付け方としているため、所望の断熱性能が得られ小型化ができ、湯切れを防止できる。
【発明を実施するための最良の形態】
【００１３】
第１の発明は、圧縮機、給湯用熱交換器、膨張弁、及び蒸発器を配管で接続したヒートポンプサイクルと前記ヒートポンプサイクルを用いて加熱された液体を蓄える貯湯タンクとを備え、前記貯湯タンクの断熱材として真空断熱材を使用し、前記貯湯タンクに前記真空断熱材を貼り付ける際、一部密着させずに貼り付けている。
【００１４】
従って、真空断熱材の外袋からの熱伝導を最低限にでき、かつ真空断熱材の性能を最大限にできる貼り付け方としているため、所望の断熱性能が得られ小型化ができ、湯切れを防止できる。
【００１５】
第２の発明は、特に、第１の発明のヒートポンプ給湯装置において、前記真空断熱材において、前記貯湯タンクに貼り付ける側に凹部を設けている。
【００１６】
従って、貯湯タンクに真空断熱材を貼り付ける際、真空断熱材の貼り付ける側に凹部を設けているため貯湯タンクに一部密着させずに貼り付けることが可能となり、真空断熱材の外袋からの熱伝導を最低限にでき、かつ真空断熱材の性能を最大限にできる貼り付け方としているため、所望の断熱性能が得られ小型化ができ、湯切れを防止できる。
【００１７】
第３の発明は、特に、第１または第２の発明のヒートポンプ給湯装置において、前記真空断熱材を前記貯湯タンクに貼り付ける場合、前記真空断熱材と前記貯湯タンクの間を両面テープで貼り付けている。
【００１８】
従って、貯湯タンクに真空断熱材を貼り付ける際、貯湯タンクと真空断熱材との間を両面テープで貼り付けているため隙間を確保しつつ貼り付けることが可能となり、真空断熱
材の外袋からの熱伝導を最低限にでき、かつ真空断熱材の性能を最大限にできる貼り付け方としているため、所望の断熱性能が得られ小型化ができ、湯切れを防止できる。
【００１９】
第４の発明は、特に、第１〜３のいずれか一つの発明において、少なくとも一部可動な前記真空断熱材を備えている。
【００２０】
従って、サーミスター等のメンテナンスも容易にできかつ、かつ真空断熱材の性能を最大限にできる貼り付け方としているため、所望の断熱性能が得られ小型化ができ、湯切れを防止できる。
【００２１】
第５の発明は、特に、第１〜４のいずれか一つの発明において、前記真空断熱材と前記貯湯タンクの間の空気の流れを遮断するように前記真空断熱材を前記貯湯タンクに貼り付けている。
【００２２】
従って、真空断熱材と貯湯タンクの間の高温の空気が外部に流れることを防止でき、対流による放熱が防止でき、所望の断熱性能が得られ小型化ができ、湯切れを防止できる。
【００２３】
第６の発明は、特に、第１〜５のいずれか一つの発明において、ヒートポンプサイクルを複数備えている。
【００２４】
従って、沸き上げ能力に応じてヒートポンプサイクルの運転台数を切り換え、幅広い能力において効率の良い運転が可能となる。
【００２５】
第７の発明は、特に、第１〜６のいずれか一つの発明において、ヒートポンプサイクルに用いる冷媒を二酸化炭素とし、高圧側では臨界圧を越える状態で運転している。
【００２６】
従って、高温の湯を生成することができ、また貯湯タンクを併用する場合には高温の湯を貯湯できるので貯湯タンクを小型化できる。
【００２７】
以下、本発明の実施の形態について、図面を参照しながら説明する。なお、本実施の形態によって本発明が限定されるものではない。
【００２８】
（実施の形態１）
図１は、本発明の第１の実施の形態におけるヒートポンプ給湯装置の回路構成図である。
【００２９】
図１において、本発明の第１の実施の形態におけるヒートポンプ給湯装置の冷凍回路について説明する。
【００３０】
ヒートポンプサイクル３０は、圧縮機３１、給湯用熱交換器３２、膨張弁３３、及び蒸発器３４を順に配管で接続して構成されている。また、ヒートポンプサイクル３０に対応する蒸発器３４に送風するためのファン３５を設けている。
【００３１】
本実施例によるヒートポンプ給湯装置は、二酸化炭素を冷媒として用い、高圧側では臨界圧を越える状態で運転することが好ましい。
【００３２】
次に、本発明の第１の実施の形態におけるヒートポンプ給湯装置の給湯回路について説明する。
【００３３】
貯湯タンク４１は、真空断熱材Ａ４２で断熱されている。貯湯タンク４１の第一底部配
管４３は、減圧弁４４を介して水道管等の水供給配管４５に接続されている。また、貯湯タンク４１の第二底部配管４６は、循環ポンプ４７を介して給湯用熱交換器３２の水用配管３２Ａの流入側と接続されている。また、給湯用熱交換器３２の水用配管３２Ａの出口側には、出湯温度センサ１２Ｂを設置している。また、貯湯タンク４１の第一上部配管４８は、三方弁４９を介して給湯用熱交換器３２の水用配管３２Ａの流出側と接続されている。また、貯湯タンク４１の第三底部配管５０は、三方弁４９に接続されている。また、貯湯タンク４１の第二上部配管５１は、キッチン、又は洗面所等の蛇口や風呂端末（図示せず）に接続されている。
【００３４】
次に、本発明の第１の実施の形態におけるヒートポンプ給湯装置の貯湯運転動作について説明する。
【００３５】
使用者が蛇口を開くと第二上部配管５１から出湯され、貯湯タンク４１の残湯量が少なくなると、ヒートポンプサイクル３０が運転を開始する。
【００３６】
圧縮機３１で圧縮された冷媒は、給湯用熱交換器３２で放熱し、膨張弁３３で減圧された後、蒸発器３４にて吸熱し、ガス状態で圧縮機３１に吸入される。ファン３５は、圧縮機３１の運転状態に応じた回転数に設定される。
【００３７】
循環ポンプ４７により貯湯タンク４１からの水は、貯湯タンク４１の第二底部配管４６を通り、給湯用熱交換器３２の水用配管３２Ａに導かれ、高温の湯に加熱され、三方弁４９を介し、貯湯タンク４１に流入する。三方弁４９において、貯湯タンク４１の第一上部配管４８に接続するか、貯湯タンク４１の第三底部配管５０に接続するかの判断は、給湯用熱交換器３２の水用配管３２Ａの出口側に設置している出湯温度センサ３２Ｂの温度によって行う。
【００３８】
貯湯タンク４１の湯量が一杯になると圧縮機３１と循環ポンプ４７を停止し、貯湯運転を終了する。
【００３９】
図２（ａ）は、本発明の第１の実施の形態におけるヒートポンプ給湯装置の貯湯タンクの概略正面図、図２（ｂ）は断面ＡＡ図である。
【００４０】
図２（ａ）（ｂ）において、貯湯タンク４１の胴部に真空断熱材Ａ４２を、上部および下部にグラスウール断熱材４３を用いる構成とした。４４はテープであり、真空断熱材Ａ４２と貯湯タンク４１の間の空気の流れを遮断するように貼り付けている。４２Ａは、真空断熱材Ａ４２に設けた凹部で、この凹部により貯湯タンク４１に真空断熱材Ａ４２を巻いても一部密着せず、貯湯タンク４１と真空断熱材Ａ４２の間に隙間ができる。
【００４１】
以上のように本実施の形態のヒートポンプ給湯装置は、貯湯タンクの断熱材として真空断熱材を使用し、貯湯タンクに真空断熱材を貼り付ける際、真空断熱材に凹部を設けているため、貯湯タンクに一部密着させずに貼り付けることが可能となり、真空断熱材の外袋からの熱伝導を最低限にでき、かつ真空断熱材の性能を最大限にできる貼り付け方としているため、所望の断熱性能が得られ小型化ができ、湯切れを防止できる。
【００４２】
また、本実施の形態では冷媒として二酸化炭素を用いた場合で説明したが、冷媒としてＲ４１０Ａ冷媒やＨＣ冷媒などのその他の冷媒を用いてもよい。
【００４３】
また、本実施の形態では、ヒートポンプサイクル１０を備えたヒートポンプ給湯装置を用いて説明したが、２つ以上のヒートポンプサイクルを用いてもよい。
【００４４】
なお、貯湯タンク４１の上部および下部をグラスウール断熱材４３で説明したが、発泡スチロール等の断熱材を使用してもよい。
【００４５】
（実施の形態２）
図３（ａ）は、本発明の第２の実施の形態におけるヒートポンプ給湯装置の貯湯タンクの概略正面図、図３（ｂ）は断面ＡＡ図である。
【００４６】
図３（ａ）（ｂ）において、図３（ａ）の左図は、貯湯タンク４１に両面テープ４２Ｂを貼り付けた図である。図３（ａ）の右図は、さらに断熱材を貼り付けた図であり、貯湯タンク４１の胴部に真空断熱材Ａ４２を、上部および下部にグラスウール断熱材４３を用いる構成とした。貯湯タンク４１にを貼り付ける際、両面テープ４２Ｂを用いて貼り付けている。従って、貯湯タンク４１と真空断熱材Ａ４２との間に隙間を設けることが可能となると共に、真空断熱材Ａ４２と貯湯タンク４１の間の高温の空気が外部に流れることが防止できる。さらに、その上に実施の形態１で示したようにテープ４４（図示せず）で貼り付けると効果が増す。
【００４７】
４２Ｃは、真空断熱材Ａ４２とは別に設けられた真空断熱材であり、真空断熱材Ａ４２に対して開閉自在な構成となっている。これは、貯湯タンク４１の側面に備え付けた残湯サーミスターのメンテナンスを行い易くするためのものであり、メンテナンス時には真空断熱材４２Ｃを開いて残湯サーミスターのメンテナンスを行うと共に、メンテナンス時以外には真空断熱材４２Ｃを閉じることにより、真空断熱材Ａ４２により覆いきれていない貯湯タンク４１の表面部分を覆うようになっている。なお、真空断熱材４２Ｃは図３（ｂ）に示されているように、真空断熱材Ａ４２により覆いきれていない貯湯タンク４１の露呈部分よりも大きめの寸法とし、露呈部分の上に重なるように設計されていることから、真空断熱材４２Ｃの一部分が真空断熱材Ａ４２に対して前方に出る構成となる。これは、真空断熱材４２Ｃの一部分が前方に出ることにより、真空断熱材４２Ｃが開閉しやすくなるだけでなく、貯湯タンク４１と真空断熱材４２Ｃの間にわずかな凹部が形成されることから、外袋からの伝導熱量を緩和できるものである。
【００４８】
また、真空断熱材Ａ４２には凹部４２Ａ（図示せず）を設けており、貯湯タンク４１と真空断熱材Ａ４２は一部密着していない。また、真空断熱材Ｂ４２Ｃは、左側はテープで貼り付け（図示せず）、真空断熱材Ａ４２と重なっている右側はマジックテープ（登録商標）（図示せず）等により貼り付け、断熱性とメンテナンス性を考えた仕様としている。
【００４９】
以上のように本実施の形態のヒートポンプ給湯装置は、貯湯タンクの断熱材として真空断熱材を使用し、貯湯タンクに真空断熱材を貼り付ける際、真空断熱材Ａ４２と貯湯タンク４１の間の高温の空気が外部に流れない様に貼り付ける。従って、真空断熱材と貯湯タンクの間の高温の空気が外部に流れることを防止でき、対流による放熱が防止でき、所望の断熱性能が得られ小型化ができ、湯切れを防止できる。
【００５０】
また、本実施の形態では冷媒として二酸化炭素を用いた場合で説明したが、冷媒としてＲ４１０Ａ冷媒やＨＣ冷媒などのその他の冷媒を用いてもよい。
【００５１】
また、本実施の形態では、ヒートポンプサイクル１０を備えたヒートポンプ給湯装置を用いて説明したが、２つ以上のヒートポンプサイクルを用いてもよい。
【００５２】
なお、貯湯タンク４１の上部および下部をグラスウール断熱材４３で説明したが、発泡スチロール等の断熱材を使用してもよい。
【００５３】
また、貯湯タンクに真空断熱材を貼り付ける手段として両面テープ、マジックテープ（
登録商標）で説明したが、所定の目的が達せられれば、その他の方法を用いてもよい。
【００５４】
（実施の形態３）
図４（ａ）は、本発明の第３の実施の形態におけるヒートポンプ給湯装置の貯湯タンクの概略正面図、図４（ｂ）は断面ＡＡ図である。
【００５５】
図４（ａ）（ｂ）において、図４（ａ）の左図は、貯湯タンク４１に両面テープ４２Ｂを貼り付けた図である。図４（ａ）の右図は、さらに断熱材を貼り付けた図であり、貯湯タンク４１の胴部に真空断熱材Ａ４２を、上部および下部にグラスウール断熱材４３を用いる構成とした。貯湯タンク４１にを貼り付ける際、両面テープ４２Ｂを用いて貼り付けている。従って、貯湯タンク４１と真空断熱材Ａ４２との間に隙間を設けることが可能となると共に、真空断熱材Ａ４２と貯湯タンク４１の間の高温の空気が外部に流れることが防止できる。さらに、その上に実施の形態１で示したようにテープ４４（図示せず）で貼り付けると効果が増す。
【００５６】
４２Ｄは、真空断熱材Ａ４２とは別に設けられた真空断熱材であり、真空断熱材Ａ４２に対して開閉自在な構成となっている。これは、貯湯タンク４１の側面に備え付けた残湯サーミスターのメンテナンスを行い易くするためのものであり、メンテナンス時には真空断熱材４２Ｄを開いて残湯サーミスターのメンテナンスを行うと共に、メンテナンス時以外には真空断熱材４２Ｄを閉じることにより、真空断熱材Ａ４２により覆いきれていない貯湯タンク４１の表面部分を覆うようになっている。なお、真空断熱材４２Ｄは図４（ｂ）に示されているように、真空断熱材Ａ４２により覆いきれていない貯湯タンク４１の露呈部分よりも大きめの寸法とし、露呈部分の上に重なるように設計されていることから、真空断熱材４２Ｄの一部分が真空断熱材Ａ４２に対して前方に出る構成となる。これは、真空断熱材４２Ｄの一部分が前方に出ることにより、真空断熱材４２Ｄが開閉しやすくなるだけでなく、貯湯タンク４１と真空断熱材４２Ｄの間にわずかな凹部が形成されることから、外袋からの伝導熱量を緩和できるものである。また、真空断熱材４２Ｄは、上下２分割としているので、一層容易にメンテナンスが行える。
【００５７】
また、真空断熱材Ａ４２には凹部４２Ａ（図示せず）を設けており、貯湯タンク４１と真空断熱材Ａ４２は一部密着していない。また、真空断熱材Ｃ４２Ｄは、左右ともマジックテープ（登録商標）（図示せず）等により貼り付け、さらに断熱性とメンテナンス性を考えた仕様としている。
【００５８】
以上のように本実施の形態のヒートポンプ給湯装置は、貯湯タンクの断熱材として真空断熱材を使用し、貯湯タンクに真空断熱材を貼り付ける際、真空断熱材Ａ４２と貯湯タンク４１の間の高温の空気が外部に流れない様に貼り付ける。従って、真空断熱材と貯湯タンクの間の高温の空気が外部に流れることを防止でき、対流による放熱が防止でき、所望の断熱性能が得られ小型化ができ、湯切れを防止できる。
【００５９】
また、本実施の形態では冷媒として二酸化炭素を用いた場合で説明したが、冷媒としてＲ４１０Ａ冷媒やＨＣ冷媒などのその他の冷媒を用いてもよい。
【００６０】
また、本実施の形態では、ヒートポンプサイクル１０を備えたヒートポンプ給湯装置を用いて説明したが、２つ以上のヒートポンプサイクルを用いてもよい。
【００６１】
なお、貯湯タンク４１の上部および下部をグラスウール断熱材４３で説明したが、発泡スチロール等の断熱材を使用してもよい。
【００６２】
なお、残湯サーミスター等のメンテナンス用に真空断熱材４２Ｄは上下２分割として説
明したが、さらに分割してもよい。また、サーミスタごとに対応してメンテナンスが可能となるための開閉可能な扉を真空断熱材Ａ４２に対して設け、扉を開けてメンテナンスできる仕様としてもよい。
【００６３】
また、貯湯タンクに真空断熱材を貼り付ける手段として両面テープ、マジックテープ（登録商標）で説明したが、所定の目的が達せられれば、その他の方法を用いてもよい。
【産業上の利用可能性】
【００６４】
以上のように、本発明にかかるヒートポンプ給湯装置は、貯湯タンクの断熱材として真空断熱材を使用し、前記貯湯タンクに前記真空断熱材を貼り付ける際、一部密着させずに貼り付けているので、真空断熱材の外袋からの熱伝導を最低限にでき、かつ真空断熱材の性能を最大限にできる貼り付け方としているため、所望の断熱性能が得られ小型化ができ、湯切れを防止できるので、温水を貯湯し、その温水を利用した暖房等の性能向上の用途にも適用できる。
【図面の簡単な説明】
【００６５】
【図１】本発明の実施の形態１におけるヒートポンプ給湯装置の回路構成図
【図２】（ａ）本発明の第１の実施の形態におけるヒートポンプ給湯装置の貯湯タンクの概略正面図（ｂ）同概略正面図の断面ＡＡ図
【図３】（ａ）本発明の第２の実施の形態におけるヒートポンプ給湯装置の貯湯タンクの概略正面図（ｂ）同概略正面図の断面ＡＡ図
【図４】（ａ）本発明の第３の実施の形態におけるヒートポンプ給湯装置の貯湯タンクの概略正面図（ｂ）同概略正面図の断面ＡＡ図
【図５】従来のガスを利用した即時出湯機能付き給湯装置のシステム構成図
【符号の説明】
【００６６】
３０  ヒートポンプサイクル
３１  圧縮機
３２  給湯用熱交換器
３３  膨張弁
３４  蒸発器
４１  貯湯タンク
４２  真空断熱材Ａ
【図１】
2007107738.tif 000003
【図５】
2007107738.tif 000004
【図２】
2007107738.tif 000005
【図３】
2007107738.tif 000006
【図４】
2007107738.tif 000007